(57)【特許請求の範囲】
【請求項１】
縦方向および横方向を有し、肌対向面およびその反対側である非肌対向面と、前後ウエスト域のいずれか一方である第１ウエスト域と、前記前後ウエスト域のいずれか他方である第２ウエスト域と、前記第１および第２ウエスト域間に位置するクロッチ域とを有するシャーシと、前記クロッチ域から少なくとも前記第２ウエスト域に延びる吸液構造体とを含み、前記シャーシは、非伸縮性シートと、前記非伸縮性シートに積層され前記横方向へ伸縮可能な伸縮性シートとを有する使い捨て着用物品において、
前記吸液構造体は、前記横方向へ延びる第１および第２端縁を有するとともに、前記吸液構造体と前記シャーシとの間には、防漏シートが配置され、前記防漏シートが前記吸液構造体の第２端縁から前記縦方向外側へと延出された延出部を有し、
前記非伸縮性シートおよび前記伸縮性シートは、少なくとも前記第２ウエスト域に位置するとともに、前記伸縮性シートは、前記非伸縮性シートと、前記吸液構造体の第２端縁と、前記延出部とに重なって配置され、前記伸縮性シートと前記非伸縮性シートとは、少なくともその一部において、前記防漏シートを介して互いに接合され、
前記シャーシの前記非肌対向面には、接合部を介して廃棄用のテープが取り付けられ、
前記接合部は、前記吸液構造体の吸収体と重なる部分から、前記吸液構造体の前記第２端縁から前記縦方向外側へと延出される端部まで延び、
前記接合部における前記吸液構造体の前記第２端縁から前記縦方向外側へと延出される端部が、前記防漏シートの前記延出部に重なることを特徴とする前記使い捨て着用物品。
【請求項２】
前記吸液構造体は、前記クロッチ域から前記第１および第２ウエスト域に延在し、前記第１ウエスト域に重なった前記吸液構造体の前記縦方向における寸法は、前記第２ウエスト域に重なった前記吸液構造体の前記縦方向における寸法よりも大きくされる請求項１記載の使い捨て着用物品。
【請求項３】
前記非伸縮性シートは、前記横方向へ延びる折曲線によって前記縦方向内側に折り曲げられた折曲領域を有し、前記折曲領域が、前記防漏シートの前記延出部に重ねられる請求項１又は２に記載の使い捨て着用物品。
【請求項４】
前記非伸縮性シートの前記折曲領域は、前記吸液構造体の端縁を覆う請求項３記載の使い捨て着用物品。
【請求項５】
前記伸縮性シートは、前記第１ウエスト域に位置する第１伸縮性シートと、前記第２ウエスト域に位置する第２伸縮性シートとを含む請求項１〜４のいずれかに記載の使い捨て着用物品。
【請求項６】
前記防漏シートの前記横方向における寸法は、前記第２ウエスト域の前記横方向における寸法よりも小さくされる請求項１〜５のいずれかに記載の使い捨て着用物品。
【請求項７】
前記第１ウエスト域は前記前ウエスト域であり、前記第２ウエスト域は前記後ウエスト域である請求項１〜６のいずれかに記載の使い捨て着用物品。
【請求項８】
前記第１および第２ウエスト域は、少なくとも繊維不織布から形成され、かつ、前記防漏シートは、少なくともプラスチックフィルム、および、プラスチックフィルムと繊維不織布とのラミネートのひとつから形成されている請求項１〜７のいずれかに記載の使い捨て着用物品。
【発明の詳細な説明】
【技術分野】
【０００１】
本発明は、使い捨て着用物品に関し、より詳しくは、ウエスト域に伸縮性シートを用いた使い捨ておむつ、使い捨てのトイレット・トレーニングパンツ、使い捨て失禁パンツ、使い捨ての生理用パンツ等の使い捨て着用物品に関する。
【背景技術】
【０００２】
従来、前後ウエスト域に伸縮性シートを用い、前後ウエスト域を横方向へ弾性化した使い捨ておむつは公知である。例えば、特許文献１には、使い捨ておむつの裏面シートが、伸縮性の内側シートと非伸縮性の外側シートとによって構成されていることが開示されている。
【先行技術文献】
【特許文献】
【０００３】
【特許文献１】特開平１０−９９３７３号公報（ＪＰ  １０−９９３７３  Ａ）
【発明の概要】
【発明が解決しようとする課題】
【０００４】
上記のような特許文献１では、表面シートと裏面シートの間に吸収体が配置され、吸収体の縦方向外側では、表裏面シートが直接接合されている。このようなおむつにおいて、これを着用させる際に、表裏面シートが直接接合された端部を引っ張ると、これら表裏面シートが吸収体に重なる部分との境界から破断してしまうという問題があった。
【０００５】
この発明では、前後ウエスト域に積層された伸縮性シートと非伸縮性シートとを用い、吸収体の縦方向外側に位置する前後フラップにおける破断を防止可能な使い捨て着用物品を提供することを課題とする。
【課題を解決するための手段】
【０００６】
この発明は、縦方向および横方向を有し、肌対向面およびその反対側である非肌対向面と、前後ウエスト域のいずれか一方である第１ウエスト域と、前記前後ウエスト域のいずれか他方である第２ウエスト域と、前記第１および第２ウエスト域間に位置するクロッチ域とを有するシャーシと、前記クロッチ域から少なくとも前記第２ウエスト域に延びる吸液構造体とを含み、前記シャーシは、非伸縮性シートと、前記非伸縮性シートに積層され前記横方向へ伸縮可能な伸縮性シートとを有する使い捨て着用物品の改良にかかわる。
【０００７】
この発明は、前記使い捨て着用物品において、前記吸液構造体は、前記横方向へ延びる第１および第２端縁を有するとともに、前記吸液構造体と前記シャーシとの間には、防漏シートが配置され、前記防漏シートが前記吸液構造体の第２端縁から前記縦方向外側へと延出された延出部を有し、前記非伸縮性シートおよび前記伸縮性シートは、少なくとも前記第２ウエスト域に位置するとともに、前記伸縮性シートは、前記非伸縮性シートと、前記吸液構造体の第２端縁と、前記延出部とに重なって配置され、前記伸縮性シートと前記非伸縮性シートとは、少なくともその一部において、前記防漏シートを介して互いに接合され、前記シャーシの前記非肌対向面には、接合部を介して廃棄用のテープが取り付けられ、前記接合部は、前記吸液構造体の吸収体と重なる部分から、前記吸液構造体の前記第２端縁から前記縦方向外側へと延出される端部まで前記縦方向へ延び、前記接合部における前記吸液構造体の前記第２端縁から前記縦方向外側へと延出される端部が、前記防漏シートの前記延出部に重なることを特徴とする。
【発明の効果】
【０００８】
この発明の特にそのひとつ以上の実施態様によれば、吸液構造体の縦方向外側に防漏シートの延出部を形成することとしたので、着用物品の端部を挟持して引っ張った際には、その引張力が防漏シートの延出部と、吸液構造体の端縁とに分散される。したがって、吸液構造体の端縁に沿ってシャーシが破れるのを防止することができる。
【図面の簡単な説明】
【０００９】
【図１】この発明に係る使い捨て着用物品の一例としてのおむつの斜視図。
【図２】おむつの一部破断展開図。
【図３】おむつの分解斜視図。
【図４】図２のＩＶ−ＩＶ線模式断面図。
【発明を実施するための形態】
【００１０】
図１〜図３を参照すると、おむつ１は、着用者の肌対向面およびその反対側である非肌対向面を有し、おむつ１の外形を形成するシャーシ１０と、シャーシ１０の肌対向面に位置する吸液構造体４０と、防漏シート５０とを含む。
図２および３において、各弾性体は、その収縮力に抗して伸長させた状態で示している。おむつ１は、横方向Ｘの長さ寸法を二等分した仮想縦中心線Ｐ−Ｐ、横方向Ｙの長さ寸法を二等分した仮想横中心線Ｑ−Ｑを有し、仮想縦中心線Ｐ−Ｐに関してほぼ対称とされている。
【００１１】
おむつ１は前ウエスト域１１と、後ウエスト域１２と、前後ウエスト域１１，１２間に位置するクロッチ域１３と、横方向Ｘへ延びる前後端縁１４，１５および縦方向Ｙへ延びる両側縁１６とを有する。両側縁１６には、縦方向Ｙへ断続的に延びるシーム部１７が形成され、シーム部１７で前後ウエスト域１１，１２が連結されることによって、前後端縁１４,１５でウエスト開口が形成され、クロッチ域１３における両側縁１６でレッグ開口が形成される。
【００１２】
シャーシ１０は、非肌対向面に位置するとともに、前後ウエスト域１１，１２およびクロッチ域１３の一部を画定する非伸縮性の前後ウエストシート２１，２２と、これら前後ウエストシート２１，２２を連結するとともにクロッチ域１３を画定する非伸縮性のクロッチシート２３と、前ウエスト域１１に配置された第１伸縮性シート３１と、後ウエスト域１２に配置された第２伸縮性シート３２とを含む。前後ウエストシート２１，２２は、その横方向Ｘにおける寸法が等しくされ、これら寸法が前後ウエスト域１１，１２の横方向Ｘにおける寸法とされている。
【００１３】
前後ウエストシート２１，２２およびクロッチシート２３としては、例えば、質量が約１０〜４０ｇ／ｍ２、好ましくは約１３〜２０ｇ／ｍ２、繊維密度が約０．０３〜０．１０ｇ／ｃｍ３、好ましくは約０．０４〜０．０９ｇ／ｃｍ３である熱融着性のスパンボンド繊維不織布を用いることができる。前後ウエストシート２１，２２およびクロッチシート２３は、少なくとも弾性的に収縮することはなく、この発明における非伸縮性シートを形成している。
【００１４】
第１および第２伸縮性シート３１，３２は、ほぼ矩形とされ、第１および第２ウエスト域１１，１２の側縁１６間において横方向Ｘへ延びている。第１および第２伸縮性シート３１，３２は、例えば、質量が約２０〜５０ｇ／ｍ２、好ましくは約３０〜４０ｇ／ｍ２、繊維密度が約０．０１〜０．０４ｇ／ｃｍ３、好ましくは約０．０２５〜０．０３５ｇ／ｃｍ３の範囲である熱融着性のエラストマー繊維からなる伸縮性繊維不織布を用いることができる。具体的には、熱可塑性ポリウレタンポリマーと、熱可塑性ポリウレタンポリマー以外の熱可塑性ポリマー、例えば、スチレン系エラストマー、ポリオレフィン系エラストマー、塩ビ系エラストマー、アミド系エラストマー、ポリエチレン、ポリプロピレン、ポリスチレン等のポリオレフィン類のポリマーとの混合からなる繊維を含む混合繊維から形成することができる。これら第１および第２伸縮性シート３１，３２は、少なくとも横方向Ｘにおいて弾性的に伸縮可能とされている。
【００１５】
吸液構造体４０は、横方向Ｘに延びる前後端縁４０ａ，４０ｂと、縦方向Ｙへ延びる両側縁４０ｃとによって画定された縦長方形状である。吸液構造体４０は、クロッチ域１３から前後ウエスト域１１,１２に延在して、前端縁４０ａが前ウエスト域１１に位置し、後端縁４０ｂが後ウエスト域１２に位置している。前ウエスト域１１に重なる吸液構造体４０の縦方向Ｙにおける寸法は、後ウエスト域１２に重なる吸液構造体４０の縦方向Ｙにおける寸法よりも大きくされている。すなわち、吸液構造体４０は、後ウエスト域１２に対して前ウエスト域１１側に偏在している。おむつ１の着用状態において、尿の排泄位置が仮想横中心線Ｑ−Ｑよりも前ウエスト域１１側に位置するからである。
【００１６】
吸液構造体４０は、フラッフパルプと超吸収性ポリマー粒子等との混合からなる吸液性コアを液拡散性シート（図示せず）で覆うことによって形成された吸収体４１と、吸収体４１の吸収面を覆う身体側ライナ４２と、吸収体４１の底面から両側縁を覆い、吸収面へと折り曲げられる被覆シート４３とを含む。被覆シート４３は、吸収面へと折り曲げられることによって一対のスリーブ状のサイドフラップ４４が形成される。サイドフラップ４４には、縦方向Ｙへ延びるストランド状またはストリング状のサイド弾性体４５がホットメルト接着剤等の公知の接合手段を介して伸長状態で収縮可能に取り付けられている。被覆シート４３は、吸収体４１の底面において図示しないホットメルト接着剤等の公知の接合手段によって互いに接合されているが、サイドフラップ４４においては、その前後端部のみが図示しない接合手段によって身体側ライナ４２に接合されているのであって、その縦方向Ｙの中央部分は身体側ライナ４２から離間可能にされている。したがって、サイド弾性体４５の収縮作用によって、サイドフラップ４４が身体側ライナ４２から離間してバリアまたはガスケットカフを形成し、排泄物の横漏れを防止することができる。吸液構造体４０は、被覆シート４３の外面が、ホットメルト接着剤（図示せず）を介してクロッチシート２３に固定されている。
【００１７】
第１伸縮性シート３１は、吸液構造体４０の前端縁４０ａに重なるとともに、吸液構造体４０と前ウエストシート２１との間に配置され、横方向Ｘへ伸長状態で収縮可能に取り付けられている。前ウエストシート２１は横方向Ｘへ延びる折曲線２４に沿って縦方向Ｙ内側へ折り畳まれ、折曲領域２５が形成されている。折曲領域２５は、吸液構造体４０の前端縁４０ａを覆うように重なるとともに、第１伸縮性シート３１にも重なっている。折曲線２４がおむつ１の前端縁１４を形成している。
【００１８】
前ウエストシート２１と折曲領域２５との間には、前端縁１４に沿って、ストランド状またはストリング状の複数本の前ウエスト弾性体６１が、横方向Ｘへ伸長状態で収縮可能に取り付けられている。第１伸縮性シート３１および前ウエスト弾性体６１によって、前ウエスト域１１が横方向Ｘへ弾性化され、着用者に密着可能とされている。特に、第１伸縮性シート３１が着用者の腹部に対する密着性に関与し、前ウエスト弾性体６１がウエスト開口からの漏れ防止に関与している。
【００１９】
第２伸縮性シート３２は、吸液構造体４０の後端縁４０ｂを覆うように重なるとともに、吸液構造体４０の肌対向面に配置され、横方向Ｘへ伸長状態で収縮可能に取り付けられている。後ウエストシート２２は、横方向Ｘへ延びる折曲線２６に沿って縦方向Ｙ内側へ折り畳まれ、折曲領域２７が形成されている。折曲領域２７は、第２伸縮性シート３２に重なるとともに、後述する防漏シート５０の延出部５１にも重なっている。折曲線２６がおむつ１の後端縁１５を形成している。
【００２０】
後ウエストシート２２と折曲領域２７との間には、後端縁１５に沿って、ストランド状またはストリング状の複数本の後ウエスト弾性体６２が、横方向Ｘへ伸長状態で収縮可能に取り付けられている。第２伸縮性シート３２および後ウエスト弾性体６２によって、後ウエスト域１２が横方向Ｘへ弾性化され、着用者に密着可能とされている。特に、第２伸縮性シート３２が着用者の腹部に対する密着性に関与し、後ウエスト弾性体６２がウエスト開口からの漏れ防止に関与している。
【００２１】
前後ウエストシート２１，２２のレッグ開口を形成する領域には、前後レッグ弾性体６３，６４が伸長状態で収縮可能に取り付けられている。前後レッグ弾性体６３，６４は、質量が２０〜５０ｇ／ｍ２、好ましくは、３０〜４０ｇ／ｍ２、繊維密度が０．０１〜０．０４ｇ／ｃｍ３、好ましくは０．０２５〜０．０３５ｇ／ｃｍ３の範囲である熱融着性のエラストマー繊維からなる伸縮性繊維不織布から形成されていることが好ましい。具体的には、熱可塑性ポリウレタンポリマーと、熱可塑性ポリウレタンポリマー以外の熱可塑性ポリマー、例えば、スチレン系エラストマー、ポリオレフィン系エラストマー、塩ビ系エラストマー、アミド系エラストマー、ポリエチレン、ポリプロピレン、ポリスチレン等のポリオレフィン類のポリマーとの混合からなる繊維を含む混合繊維から形成することができる。さらに、このような伸縮性繊維不織布を延伸処理することによって、伸縮性を向上させることができる。延伸処理としては、伸縮性繊維不織布を一対のギア間に通過させることによって、さらに延伸される部分と延伸されない部分とを形成することによって実施することができる。前後レッグ弾性体６３，６４は、延伸処理を施すことによって、凹曲状にされたクロッチ域１３における側縁１６に沿って湾曲させることができる。すなわち、延伸処理によって伸縮性が向上されているので、湾曲した部分での内側と外側との円弧の差によってたわみが生じるのを防止することができる。したがって、前後レッグ弾性体６３，６４は、前後ウエストシート２１，２２から離間することなく、かつ、着用者の身体に密着することができる。
【００２２】
クロッチシート２３と前後ウエストシート２１，２２の間には、防漏シート５０が配置されている。防漏シート５０として、透湿性かつ不透液性のプラスチックフィルムまたはこのフィルムと繊維不織布とのラミネートを用いることができる。防漏シート５０は、吸液構造体４０に重なるように配置されるとともに、その縦方向Ｙにおける寸法は、吸液構造体４０のそれよりも大きくされている。このような防漏シート５０は、吸液構造体４０の後端縁４０ｂから縦方向Ｙ外側に延出され、延出部５１が形成されている。延出部５１は、縦方向Ｙにおける長さ寸法が約１０〜４０ｍｍ、望ましくは約１５〜３０ｍｍとされている。
【００２３】
図４を図３と併せて参照すると、後ウエストシート２２の非肌対向面には、おむつ１の廃棄時に使用するテープ７０が接合部７１を介して取り付けられている。接合部７１は、ホットメルト接着剤等の公知の接合手段によって形成される。テープ７０は、接合部７１によって取り付けられた固定部７０ａと、固定部７０ａに図示しない接着剤を介して接着されるとともに、これを介護者または着用者が手で挟持して引っ張ると固定部７０ａから離間可能な剥離部７０ｂとを有している。テープ７０は、おむつ１の使用後、これを廃棄する際に、おむつ１を丸めて固定するために用いられるもので、剥離部７０ｂに残った接着剤によっておむつ１を丸めた状態に固定することができる。
【００２４】
後ウエスト域１２において、第２伸縮性シート３２は、吸液構造体４０の後端縁４０ｂを覆うように重なるとともに、その一部が防漏シート５０の延出部５１を介して後ウエストシート２２に重なり、図示しないホットメルト接着剤等の公知の手段によって互いに接合されている。このようなおむつ１において、着用時に引っ張り上げようとすると、後ウエスト域１２の後端縁１５近傍を挟持して図面右側、すなわち後端縁１５側に引っ張ることになる。このときの引張力は、吸液構造体４０の後端縁４０ｂと第２伸縮性シート３２との接合部分、第２伸縮性シート３２と延出部５１の接合部分、延出部５１と後ウエストシート２２との接合部分に分散される。したがって、引張力が集中することによるシートの破断を予防することができる。
【００２５】
着用者が乳幼児の場合には、おむつの着用を嫌がって逃げ回ることがある。特に這い這いをして逃げる乳幼児におむつ１をはかせようとすると、乳幼児の後から追いかけながらおむつ１をはかせることになるから、後ウエスト域１２を挟持してより一層強く引っ張ることになる。したがって、シートの破断がより一層生じやすいが、この発明では、これを防止することができる。また、後ウエスト域１２は、前ウエスト域１１に比較して吸液構造体４０が重なる領域が小さくされているから、挟持し易く引っ張り力も大きくなり、シートも破断し易くなるが、少なくとも、後ウエスト域１２において、防漏シート５０の延出部５１が形成され、これに第２伸縮性シート３２が重なるようにされているから、この破断を予防することができる。
【００２６】
防漏シート５０の延出部５１を介して後ウエストシート２２と第２伸縮性シート３２とが互いに接合されている。これらシート２２，３２は、互いに繊維不織布によって形成されるから接着面積が小さくなり、剥離しやすい。特に第２伸縮性シート３２が弾性的に伸縮するのに対して、後ウエストシート２２が伸縮しないから、これらの伸度が大きく異なり、これを挟持して引っ張ったときには、特に剥離し易くなる。このように第２伸縮性シート３２と後ウエストシート２２とが剥離すると、これらが接合されていた場合に比べて、強度が低下し破断し易くなる。しかし、この実施形態では、後ウエストシート２２と第２伸縮性シート３２は、プラスチックフィルム等で形成された防漏シート５０に接合されるから、これらシートが直接接合された場合よりも強固に接合され、剥離しにくくすることができる。
【００２７】
第２伸縮性シート３２には、後ウエストシート２２の折曲領域２７が積層され、これらが図示しないホットメルト接着剤等の接合手段によって互いに接合されている。すなわち、第２伸縮性シート３２はその肌対向面および非肌対向面を非伸縮性の後ウエストシート２２によって挟まれる。したがって、折曲領域２７を挟持して引っ張った際には、第２伸縮性シート３２が弾性的に伸長することがなく、より一層これらシートの剥離を防止することができる。
【００２８】
後ウエストシート２２には、テープ７０が取り付けられている。テープ７０を接合する接合部７１は、防漏シート５０の延出部５１に重なるように位置している。後ウエスト域１１を挟持して後端縁１５側に引っ張ったときには、接合部７１の端部にその引張力が集中するが、接合部７１が延出部５１に重なるように位置されていることによって、後ウエストシート２２を破断しにくくすることができる。また、接合部７１は吸液構造体４０の後端縁４０ｂよりも縦方向Ｙ外側、すなわち後端縁１５側に位置している。接合部７１の端部が後端縁４０ｂと一致する場合には、これら一致した部分に引張力が集中する可能性があるが、これを分散することによって、より一層、後ウエストシート２２および第２伸縮性シート３２の破断を予防することができる。
【００２９】
第１および第２伸縮性シート３１，３２は、伸長状態で前後ウエスト域１１，１２に取り付けられるので、非伸縮性シートである前後ウエストシート２１，２２および防漏シート５０にその伸縮性が阻害されることがない。また、前後ウエストシート２１，２２は、繊維不織布によって形成され、これら繊維の交絡が僅かに解けることによって、多少の伸長が可能である。これに対して防漏シート５０はプラスチックフィルムを用いているので、若干の塑性変形することがある。しかし、いずれにしても、防漏シート５０は、シャーシ１０の横方向Ｘにおける寸法、すなわち、前後ウエストシート２１，２２の横方向Ｘにおける寸法よりも小さくされるとともに、仮想縦中心線Ｐ−Ｐに沿って中央部のみに配置されているので、第１および第２伸縮性シート３１，３２の弾性的な伸縮を阻害することはない。
【００３０】
防漏シート５０は、折曲線２６から離間して配置されているが、これが折曲線２６にまで延びるようにされていてもよい。この場合には、より広範囲において第２伸縮性シート３２と後ウエストシート２２とが、防漏シート５０を介して接合されることとなるので、より広範囲でこれらシートの破断を防止することができる。また、後ウエスト域１２は、繊維不織布によって形成され、防漏シート５０はプラスチックフィルム等で形成されているところ、防漏シート５０の破断強度の方が強くされているので、防漏シート５０で形成された延出部５１ではおむつ１が破断されにくい。
【００３１】
この実施形態において、第２伸縮性シート３２と後ウエストシート２２の折曲領域２７とが互いに重なる位置関係とされているが、これに限ったものではなく、これらが縦方向Ｙにおいて離間し、互いに重ならないようにされていてもよい。その場合には、折曲領域２７は、防漏シート５０の延出部５１に直接接合されることとなる。また、テープ７０は必須の構成ではなく、これが取り付けられないものであってもよい。
【００３２】
延出部５１の縦方向Ｙにおける寸法は、約１０〜４０ｍｍとしているが、１０ｍｍよりも小さいと、これを介して接合される第２伸縮性シート３２と後ウエストシート２２との面積が小さくなって、これらシートが剥離されやすくなる。寸法が４０ｍｍよりも大きいと、おむつ１の通気性が低下したり、ウエスト域が硬くなりその収縮を妨げたりする可能性がある。
【００３３】
おむつ１を着用者に着用させる際、後ウエスト域１２を挟持して引っ張ることが多いから、後ウエスト域１２における破断を防止するために、後ウエスト域１２において伸縮性シートを配置する場合について、この実施形態では説明した。しかし、同様の構成は前ウエスト域１１に形成することができることはいうまでもない。
【００３４】
第１および第２伸縮性シート３１，３２は、エラストマー繊維と非エラストマー繊維との混合繊維から形成してもよい。この混合繊維を用いると、エラストマー繊維による着用者の肌に対する摩擦を軽減することができる。換言すると、非エラストマー繊維を混合することによって、着用者の肌に対するすべりを向上させ、第１および第２伸縮性シート３１，３２の柔軟性および肌触りを向上させることができる。
【００３５】
以上に記載したこの発明に関する開示は、少なくとも下記事項に要約することができる。
使い捨て着用物品１は、縦方向Ｙおよび横方向Ｘを有し、肌対向面およびその反対側である非肌対向面と、前後ウエスト域１１，１２のいずれか一方である第１ウエスト域と、前記前後ウエスト域１１，１２のいずれか他方である第２ウエスト域と、前記第１および第２ウエスト域間に位置するクロッチ域１３とを有するシャーシ１０と、前記クロッチ域１３から少なくとも前記第２ウエスト域に延びる吸液構造体４０とを含み、前記シャーシ１０は、非伸縮性シート２１，２２，２３と、前記非伸縮性シートに積層され前記横方向Ｘへ伸縮可能な伸縮性シート３１，３２とを有する。
【００３６】
この発明は、上記使い捨て着用物品１において、以下の点を特徴とする。
前記吸液構造体４０は、前記横方向Ｘへ延びる第１および第２端縁４０ａ，４０ｂを有するとともに、前記吸液構造体４０と前記シャーシ１０との間には、防漏シート５０が配置され、前記防漏シート５０が前記吸液構造体４０の第２端縁４０ｂから前記縦方向Ｙ外側へと延出された延出部５１を有している。
前記非伸縮性シート２１，２２，２３および前記伸縮性シート３１，３２は、少なくとも前記第２ウエスト域に位置されるとともに、前記伸縮性シート３１，３２は、前記非伸縮性シート２１，２２，２３と、前記吸液構造体４０の第２端縁４０ｂと、前記延出部５１とに重なって配置され、前記伸縮性シート３１，３２と前記非伸縮性シート２１，２２，２３とは、少なくともその一部において、前記防漏シート５０を介して互いに接合され、前記シャーシ１０の前記非肌対向面には、接合部７１を介して廃棄用のテープ７０が取り付けられ、前記接合部７１は、前記吸液構造体４０の吸収体４１と重なる部分から、前記吸液構造体４０の前記第２端縁４０Ｂから前記縦方向ｙ外側へと延出される端部まで延び、前記接合部７１における前記吸液構造体４０の前記第２端縁４０Ｂから前記縦方向Ｙ外側へと延出される端部が、前記防漏シート５０の前記延出部５１に重なる。
【００３７】
上記の発明は、少なくとも下記の実施の形態を含むことができる。
（１）前記吸液構造体４０は、前記クロッチ域１３から前記第１および第２ウエスト域に延在し、前記第１ウエスト域に重なった前記吸液構造体４０の前記縦方向Ｙにおける寸法は、前記第２ウエスト域に重なった前記吸液構造体４０の前記縦方向Ｙにおける寸法よりも大きくされる。
（２）前記非伸縮性シート２１，２２は、前記横方向Ｘへ延びる折曲線２４，２６によって前記縦方向Ｙ内側に折り曲げられた折曲領域２５，２７を有し、前記折曲領域２５，２７が、前記防漏シート５０の前記延出部５１に重ねられる。
（３）前記非伸縮性シート２１，２２の前記折曲領域２５，２７は、前記吸液構造体４０の端縁を覆う。
（４）前記伸縮性シートは、前記第１ウエスト域に位置する第１伸縮性シート３１と、前記第２ウエスト域に位置する第２伸縮性シート３２とを含む。
（５）前記防漏シート５０の前記横方向Ｘにおける寸法は、前記第２ウエスト域の前記横方向Ｘにおける寸法よりも小さくされる。
（６）前記第１ウエスト域は前記前ウエスト域１１であり、前記第２ウエスト域は前記後ウエスト域１２である。
（７）前記第１および第２ウエスト域は、少なくとも繊維不織布から形成され、かつ、前記防漏シート５０は、少なくともプラスチックフィルム、および、プラスチックフィルムと繊維不織布とのラミネートのひとつから形成されている。
【００３８】
使い捨て着用物品１を構成する各構成部材には、この発明の明細書に開示されている材料のほかに、この種の分野において通常用いられている、各種の公知の材料を制限なく用いることができる。また、使い捨て着用物品１は、前ウエスト域１１と、後ウエスト域１２と、クロッチ域１３とが一連に形成された態様であってもよい。
【００３９】
この発明の明細書および特許請求の範囲において、用語「第１」および「第２」は、同称の要素、位置等を単に区別するために用いられている。さらに、この発明の明細書および特許請求の範囲において、用語「第１ウエスト域」は、前後ウエスト域の一方を意味し、「第２ウエスト域」はその他方を意味する。
【符号の説明】
【００４０】
１    おむつ（使い捨ての着用物品）
１０    シャーシ
１１    前ウエスト域（第１又は第２ウエスト域）
１２    後ウエスト域（第１又は第２ウエスト域）
１３    クロッチ域
２１    前ウエストシート（非伸縮性シート）
２２    後ウエストシート（非伸縮性シート）
２３    クロッチシート（非伸縮性シート）
２４    折曲線
２５    折曲領域
２６    折曲線
２７    折曲領域
３１    第１伸縮性シート
３２    第２伸縮性シート
４０    吸液構造体
４０ａ  前端縁（第１または第２端縁）
４０ｂ  後端縁（第１または第２端縁）
５０    防漏シート
５１    延出部
７０    テープ
７１    接合部
【図１】
0005892758.tif 000002
【図２】
0005892758.tif 000003
【図３】
0005892758.tif 000004
【図４】
0005892758.tif 000005